(57)【要約】【課題】引出し物品をスピーディに設置し、その定位作用の解除が便利なスライドレールのスピード設置構造を提供する。【解決手段】スライドレールは、内レール１、中レール２、外レール３の三段式レール構造であるか、もしくは内レール１、外レール３だけで構成される。内レール１に引出し物品４を設置して結合する。内レール１には設置槽孔１１が成形され、隣り合う設置槽孔１１の内レール１の内面に定位部品５及び取外し部品６を設置する。設置槽孔１１は、相互に連通した垂直槽と水平槽を具え、定位部品５は弾性片体で、両端の第一端を内レール１の内面に固定し、第二端に設置槽孔１１の水平槽２と対応する嵌合凸体を設置する。取外し部品６は、内レール１の内面に設置し、定位部品５に相対してスライドし、定位部品５の嵌合凸体を押し、嵌合凸体を内レール１の内面に相対させて反対方向に離す。【選択図】図１
0003119210.tif 000002
【実用新案登録請求の範囲】
【請求項１】
スライドレールは、内レール及び外レールを含み、内レールに引出し物品を設置して結合し、且つ内レールには設置槽孔が成形され、隣り合う設置槽孔の内レールの内面に定位部品及び取外し部品を設置するスライドレールのスピード設置構造であって、
相互に連通した垂直槽と水平槽を具える設置槽孔と、
両端の第一端を内レールの内面に固定し、第二端には前記設置槽孔の水平槽と対応する嵌合凸体を設置する定位部品と、
内レールの内面に設置し、定位部品に相対してスライドし、定位部品の嵌合凸体を押し、嵌合凸体を内レールの内面に相対させて反対方向に離す取外し部品から構成されることを特徴とするスライドレールのスピード設置構造。
【請求項２】
前記取外し部品は、横向スライド槽を具え、ピン栓を横向スライド槽に差し込み、内レールに固定し、取外し部品の裏面に案内塊を設置し、且つ内レールには案内槽を成形して案内塊を嵌入し、取外し部品を引いて横向水平移動することを特徴とする請求項１記載のスライドレールのスピード設置構造。
【請求項３】
前記取外し部品は、その側面に羽片が成形され、内レールの内部両側溝条に嵌入することにより、内レールの内側に沿い、横向水平移動することを特徴とする請求項１記載のスライドレールのスピード設置構造。
【請求項４】
スライドレールは、内レール及び外レールを含み、内レールに引出し物品を設置して結合し、且つ内レールは設置槽孔が成形され、隣り合う設置槽孔の内レールの内面に定位部品及び取外し部品を設置するスライドレールのスピード設置構造であって、
相互に連通した垂直槽と水平槽を具える設置槽孔と、
両端の第一端を内レールの内面に固定し、第二端に前記設置槽孔の水平槽と対応する嵌合凸体を設置し、且つ固定端の箇所に凸体を設置する定位部品と、
内レールの内面に設置し、定位部品に相対してスライドし、定位部品の嵌合凸体を押し、嵌合凸体を内レールの内面に相対させて反対方向に離し、且つ一端に延長部を具えて押圧塊を設置し、その押圧塊は定位部品の凸体に対応する取外し部品から構成されることを特徴とするスライドレールのスピード設置構造。
【請求項５】
スライドレールは、内レール及び外レールを含み、内レールに引出し物品を設置して結合し、且つ内レールは設置槽孔が成形され、隣り合う設置槽孔の内レールの内面に定位部品及び取外し部品を設置するスライドレールのスピード設置構造であって、
相互に連通した垂直槽と水平槽を具える設置槽孔と、
両端の第一端を内レールの内面に固定し、第二端に前記設置槽孔の水平槽と対応する嵌合凸体を設置し、且つ内レールの内面に凸体を設置する定位部品と、
内レールの内面に設置し、定位部品に相対してスライドし、定位部品の嵌合凸体を押し、嵌合凸体を内レールの内面に相対させて反対方向に離し、且つ一端に延長部を具えて押圧塊を設置し、押圧塊は内レールの凸体に対応する取外し部品から構成されることを特徴とするスライドレールのスピード設置構造。
【考案の詳細な説明】
【技術分野】
【０００１】
本考案は、スライドレールのスピード設置構造に関し、特に引出し物品をスピーディに設置し、その定位作用の解除が便利なものに関する。
【背景技術】
【０００２】
一般に伸縮スライドレールに引出し類を結合する方法は、ネジ釘等の固定部品で左右スライドレールの二本の内レールを木製の引出しの両側に固定するか、もしくは差込ピン構造で、金属製の引出しを設置し、スライドレールと対応する差し込み孔、差し込み片と相互に結合する以外に、現在、他の手段として、更に便利な結合方式がある。この種の技術はパーソナルコンピュータのサーバ筐体製品によく見かけるもので、特許文献１、特許文献２、特許文献３、特許文献４、特許文献５、特許文献６、特許文献７、特許文献８、特許文献９、特許文献１０および特許文献１１がある。
【０００３】
上述の公知技術において、引出し物品の両側の凸栓を掛合して定位する弾性片もしくは可動片は、ユーザが手もしくは工具で持ち上げるか、動かして移動させなければならず、且つその弾性片もしくは可動片の移動状態を続けている間に引出し物品の凸栓を移動させて定位しなければならない。そのため、スライドレールが筐体に設置され、直接引出しを取り外す場合、片手で弾性片もしくは可動片を撥ねた状態にして、もう片方の手で引出し物件の凸栓を移動させなければならないので、操作上面倒であり、且つ不便である。その引出し物品がサーバであるなら、相当の重量があり、一人で取外し作業をするのは困難で、二人で作業を行わなければならない。
【０００４】
【特許文献１】米国特許第４３３１３６９号
【特許文献２】米国特許第５６３２５４２号
【特許文献３】米国特許第６１２３３１４号
【特許文献４】米国特許第６２０９９７９  Ｂ１号
【特許文献５】米国特許第６５８８８６６  Ｂ２号
【特許文献６】米国特許第６６０１９３３  Ｂ１号
【特許文献７】米国特許申請早期公開第ＵＳ２００１／００４０２０３  Ａ１号
【特許文献８】第ＵＳ２００３／０１４１７９１  Ａ１号
【特許文献９】第ＵＳ２００４／０１０８７９７  Ａ１号
【特許文献１０】第ＵＳ２００５／００８８０６９  Ａ１号
【特許文献１１】台湾特許公開第５３７１６号
【考案の開示】
【考案が解決しようとする課題】
【０００５】
解決しようとする問題点は、片手で弾性片もしくは可動片を撥ねた状態にして、もう片方の手で引出し物件の凸栓を移動させなければならないので、操作上面倒であり、且つ不便である点である。
【０００６】
したがって本考案の目的は、引出し物品をスピーディに設置し、その定位作用の解除が便利なスライドレールのスピード設置構造を提供することにある。
【課題を解決するための手段】
【０００７】
上述の目的を達成するために本考案の請求項に記載のスライドレールのスピード設置構造は、スライドレールは、内レール及び外レールを含む。内レールに引出し物品を設置して結合する。内レールには設置槽孔が成形され、隣り合う設置槽孔の内レールの内面に定位部品及び取外し部品を設置する。設置槽孔は、相互に連通した垂直槽と水平槽を具え、定位部品は弾性片体で、両端の第一端を内レールの内面に固定し、第二端に設置槽孔の水平槽と対応する嵌合凸体を設置する。取外し部品は、内レールの内面に設置し、定位部品に相対してスライドし、定位部品の嵌合凸体を押し、嵌合凸体を内レールの内面に相対させて反対方向に離すことを最も主要な特徴とする。
【考案の効果】
【０００８】
本考案のスライドレールのスピード設置構造は、下述の利点がある。
取外し部品は定位部品に相対してスライドして押さえた後、その取外し部品の押し状態を保ち、手で支えることなく、定位を解除でき、ユーザは両手で引き出し物品を持ち、その凸栓を移動させると、外れる。
【０００９】
引出し物品を外し、その凸栓を設置槽孔から出す時、外れると同時に凸栓が取外し部品を元の位置に押し戻し、手で押さえることなく、定位部品を嵌合位置に戻し、次回引出し物品の凸栓に嵌入する時に入れやすくする。
【考案を実施するための最良の形態】
【００１０】
以下、本考案の実施例を図面に基づいて説明する。
本考案の第一実施例によるスライドレールのスピード設置構造は、引出し物品と共に使用され、図１に示すように、引出し４を完全に引き出すことが可能である。スライドレールは、内レール１、中レール２、外レール３の三段式レール構造であるか、もしくは内レール、外レールだけで構成される二段式構造で、引出し物件を一部引き出すことが可能なものがある。しかし、これらは公知の技術で、本考案の重要な特徴ではないため、図示して説明することを省略する。本考案の特徴及び引出し物件４に内レール１を設置する方法を以下に示す。
【００１１】
図２、図３に示すように、内レール１上には少なくとも二つの設置槽孔１１が設置され、少なくとも一つの設置槽孔１１には一つの定位部品５及び取外し部品６が設置される。そのうち、設置槽孔１１は連続する垂直槽１１１と水平槽１１２によって構成される。
定位部品５は、弾性の細長片体で、その片体両端の第一端は、内レール１内面に固定され、第二端には前述した設置槽孔１１の水平槽１１２に対応する嵌合凸体５１が設置される。
【００１２】
取外し部品６は、内レール１内面に設置し、前述の定位部品５に相対してスライドして押さえる。この定位部品５の嵌合凸体５１を内レール１内面に相対して反対方向へ離す。更にこの取外し部品６は横向スライド槽６１を具え、ピン栓６２を横向スライド槽６１に差し込み、内レール１に固定し、更に取外し部品６裏面に案内塊６３を設置する。且つ内レール１に案内槽１２を成形してそこに案内塊６３を嵌入し、取外し部品６を横向に水平移動させる。
引出し物品の側面に、前述の設置槽孔１１の間に対応する凸栓４１を成形し、その凸栓４１には凸栓体より大きいキャップヘッド４１１が設置される。
【００１３】
上述の引出し物品４は、凸栓４１で上から下へ内レール１の設置槽孔１１へ嵌入される。先ず垂直槽１１１に嵌入する時、図４、図５、図６に示すように、凸栓４１のキャップヘッド４１１が内レール１内側に位置し、自動的に定位部品５の嵌合凸体５１を押さえ、その後設置槽孔１１の水平槽１１２にスライドし、凸栓４１のキャップヘッド４１１を嵌合凸体５１後端へスライド移動させ、即座に定位部品５が元に戻る。図７に示すように、その嵌合凸体５１がキャップヘッド４１１を嵌合し、その状態の時、内レール１と引出し物品４の設置結合が固定される。
【００１４】
引出し物品４を取り外す時、図８に示すように、先ず、取外し部品６を定位部品５方向へ押してスライド移動させ、取外し部品６が定位部品５の嵌合凸体５１を押し、嵌合凸体５１を凸栓４１のキャップヘッド４１１から引き離す。図９、図１０に示すように、引出し物品４の凸栓４１が設置槽孔１１の水平槽１１２から離れ、垂直槽１１１に沿って上へ移動し、引出し部品４を取り外す。取り外すと同時に、図１０に示すとおり、凸栓４１のキャップヘッド４１１も取外し部品６を押して元へ戻り、次回引出し物品４を設置しやすくする。
【００１５】
前述の取外し部品６は、図８に示すとおり、先ず取外し部品６を定位部品方向へ押して移動させ、取外し部品６が定位部品５の嵌合凸体５１を押し、嵌合凸体５１を凸栓４１のキャップヘッド４１１から離す。図９，１０に示すとおり、引出し物品４の凸栓４１を設置槽孔１１の水平槽１１２から退いて離れ、垂直槽１１１から上向きに移動し、引出し物品４が取り外される。取外しの時に同時に図１０に示すとおり、凸栓４１のキャップヘッド４１１も取外し部品６を元の位置へ押し戻し、次回引出し物品４を組立しやすくする。
【００１６】
前述の取外し部品６は、内レール１内側に横向水平移動方式で引かれることも可能で、図１１に示すとおり、取外し部品６ａの側面に羽片６４ａを設置し、内レール１ａの内部両側溝条１３ａに嵌入し、取外し部品６ａを同様に内レール１ａ内側に沿って水平移動させる。
【００１７】
本考案の第二実施例によるスライドレールのスピード設置構造は、別にフールプルーフ設計を設置する。
図１２、図１３に示すように、この定位部品５ｂ両端の第一端は、内レール１ｂ内面に固定し、第二端には設置槽孔１１ｂの水平槽１１２ｂに対応する嵌合凸体５１ｂを設置する。更に定位部品５ｂの固定端箇所には凸部５２ｂを設置する。
【００１８】
この取外し部品６ｂは、ピン栓６２ｂの連結によって、内レール１ｂ内面に設置して定位部品５ｂがスライドする。更に取外し部品６ｂは、定位部品５ｂの嵌合凸体５１ｂを押し、内レール１ｂ内面に相対して反対方向に離れる。取外し部品６ｂの定位部品５ｂの端部に対応する位置には延長部６５ｂが設置され、その延長部６５ｂ前端には押圧塊６６ｂが設置される。
【００１９】
上述のフールプルーフ設計の主な目的は、図１４に示すように、ユーザが引出し物品４ｂを外したいのではなく、不意もしくは不注意によって取外し部品６ｂを押し、定位部品５ｂの嵌合凸体５１ｂを押した時、押さえられた定位部品５ｂが内レール１ｂに沿って中レール２ｂへ収納された時、斜め反り状態の定位部品５ｂは中レール２ｂの前端にぶつかり、定位部品５ｂが変形したり、効果を失ったりする可能性がある。このような、正しくない使用を防止するため、図１５に示すように、取外し部品６ｂが押されて移動し、定位部品５ｂが凸体５１ｂに嵌合したと同時に、取外し部品６ｂ端部の延長部６５ｂ前端にある押圧会６６ｂが定位部品５ｂの凸部５２ｂを押さえて反り上がる。もしも押された定位部品５ｂが内レール１ｂに沿って中レール２ｂに収納されそうになった時は、図１６に示すように、中レール２ｂの前端は先ず取外し部品６ｂの反り上がった押圧塊６６ｂに接触するので、延長部６５ｂの伝達によって、取外し部品６ｂが元の位置に押し戻され、定位部品５ｂは取外し部品６ｂの押圧を受けることなく、押されて下降し、中レール２ｂに接触せず、正常に内レール１ｂ、中レール２ｂが収納される。この他、取外し部品６ｂの押圧塊６６ｂが定位部品５ｂの凸部５２ｂに押さえられ、反り上がる技術は、図１７に示すとおり、直接内レール１ｂ内面上に成形された凸体１４ｂでも同じ作用を具える。
【図面の簡単な説明】
【００２０】
【図１】本考案の第一実施例によるスライドレールのスピード設置構造を示す分解図である。
【図２】本考案の第一実施例によるスライドレールのスピード設置構造の主要構造分解図である。
【図３】本考案の第一実施例によるスライドレールのスピード設置構造の主要構造組立図である。
【図４】本考案の第一実施例によるスライドレールのスピード設置構造の嵌入動作の指示図一である。
【図５】本考案の第一実施例によるスライドレールのスピード設置構造の嵌入動作の指示図二である。
【図６】本考案の第一実施例によるスライドレールのスピード設置構造の嵌入動作の指示図三である。
【図７】本考案の第一実施例の嵌入定位指示図である。
【図８】本考案の第一実施例によるスライドレールのスピード設置構造の取外しの動作指示図一である。
【図９】本考案の第一実施例によるスライドレールのスピード設置構造の取外しの動作指示図二である。
【図１０】本考案の第一実施例によるスライドレールのスピード設置構造の取外しの動作指示図三である。
【図１１】本考案の第一実施例によるスライドレールのスピード設置構造の部品取外し構造変化指示図である。
【図１２】本考案の第二実施例によるスライドレールのスピード設置構造の主要構造分解図である。
【図１３】本考案の第二実施例によるスライドレールのスピード設置構造の主要構造組立断面図である。
【図１４】本考案の第二実施例によるスライドレールのスピード設置構造の操作指示図一である。
【図１５】本考案の第二実施例によるスライドレールのスピード設置構造の操作指示図一である。
【図１６】本考案の第二実施例によるスライドレールのスピード設置構造の操作指示図一である。
【図１７】本考案の第二実施例によるスライドレールのスピード設置構造の局部構造変化指示図である。
【符号の説明】
【００２１】
１  内レール、１ａ  内レール、１ｂ  内レール、２  中レール、２ｂ  中レール、３  外レール、４  引出し物品、４ｂ  引出し物品、５  嵌合凸体、５ｂ  定位部品、６  取外し部品、６ａ  取外し部品、６ｂ  取外し部品、１１  設置槽孔、１１ｂ  設置槽孔、１２  案内槽、１３ａ  溝条、１４ｂ  凸体、４１  凸栓、１ｂ  嵌合凸体、５２ｂ  凸部、６１  横向スライド槽、６２  ピン栓、６３  案内塊、６４ａ  羽片、２ｂ  ピン栓、６５ｂ  延長部、６６ｂ  押圧塊、１１１  垂直槽、１１２  水平槽、１１２ｂ  水平槽、４１１  キャップヘッド
【図１】
0003119210.tif 000003
【図２】
0003119210.tif 000004
【図３】
0003119210.tif 000005
【図４】
0003119210.tif 000006
【図５】
0003119210.tif 000007
【図６】
0003119210.tif 000008
【図７】
0003119210.tif 000009
【図８】
0003119210.tif 000010
【図９】
0003119210.tif 000011
【図１０】
0003119210.tif 000012
【図１１】
0003119210.tif 000013
【図１２】
0003119210.tif 000014
【図１３】
0003119210.tif 000015
【図１４】
0003119210.tif 000016
【図１５】
0003119210.tif 000017
【図１６】
0003119210.tif 000018
【図１７】
0003119210.tif 000019